(57)【要約】【課題】カバー部材の押圧操作に対し、よりダイレクトな操作感を与えることが可能なスイッチ装置を提供すること。【解決手段】スイッチ装置は、開口部を有するケースと、開口部内に配置されたレバー部材と、レバー部材がケースに対して回動可能となるように、レバー部材とケースとを一体に連結する弾性変形可能な連結部と、ケースの内部に設けられ、レバー部材によって押圧されるスイッチと、開口部を覆うカバー部材とを備え、連結部は、凹状部を有しており、カバー部材は、二色成形によって弾性素材が用いられてケース、連結部及びレバー部材と一体成形され、二色成形によって、レバー部材の表面に密着して成形された操作部と、二色成形によって、凹状部の内部に弾性素材が充填されることによって凹状部の内部に密着して成形された凸状部とを有する。【選択図】図９
2020102428.tif 000002
【特許請求の範囲】
【請求項１】
開口部を有するケースと、
前記開口部内に配置されたレバー部材と、
前記レバー部材が前記ケースに対して回動可能となるように、前記レバー部材と前記ケースとを一体に連結する弾性変形可能な連結部と、
前記ケースの内部に設けられ、前記レバー部材によって押圧されるスイッチと、
前記開口部を覆うカバー部材と
を備え、
前記連結部は、
凹状部を有しており、
前記カバー部材は、
二色成形によって弾性素材が用いられて前記ケース、前記連結部及び前記レバー部材と一体成形され、
前記二色成形によって、前記レバー部材の表面に密着して成形された操作部と、
前記二色成形によって、前記凹状部の内部に前記弾性素材が充填されることによって前記凹状部の内部に密着して成形された凸状部と
を有することを特徴とするスイッチ装置。
【請求項２】
前記カバー部材は、
前記凸状部を有する側の第１の縁部とは反対側の第２の縁部に、当該第２の縁部に沿って成形された弾性変形可能な溝部を有する
ことを特徴とする請求項１に記載のスイッチ装置。
【請求項３】
前記レバー部材の一辺に沿って、複数の前記連結部が設けられており、
前記カバー部材は、
前記二色成形によって、前記複数の連結部の各々の内部に前記弾性素材が充填されることによって成形された、複数の前記凸状部を有する
ことを特徴とする請求項１または２に記載のスイッチ装置。
【請求項４】
前記連結部は、少なくとも、前記レバー部材の前記一辺の両端の各々に設けられている
ことを特徴とする請求項３に記載のスイッチ装置。
【請求項５】
前記レバー部材は、
前記スイッチ側の表面において前記スイッチと対向して設けられ、当該レバー部材の前記スイッチ側への回動に伴って前記スイッチを押圧する押圧部を有する
ことを特徴とする請求項１から４のいずれか一項に記載のスイッチ装置。
【請求項６】
前記レバー部材は、
前記スイッチ側に突出して設けられ、前記スイッチが実装された回路基板の表面に当接することにより、前記押圧部による前記スイッチの押圧量を規制する規制部を有する
ことを特徴とする請求項５に記載のスイッチ装置。
【発明の詳細な説明】
【技術分野】
【０００１】
本発明は、スイッチ装置に関する。
【背景技術】
【０００２】
従来、車両等の屋外において使用されるスイッチ装置において、スイッチ操作が行われる操作部を、弾性素材からなるカバー部材によって覆うことにより、スイッチ装置の内部への浸水を抑制できるようにした技術が用いられている。
【０００３】
例えば、下記特許文献１には、回動動作可能な駆動部材によって、ケースの内部に設けられたスイッチを押圧するように構成されたスイッチ装置において、駆動部材を覆うカバー部材を、ケースの上面に設けるようにした技術が開示されている。
【先行技術文献】
【特許文献】
【０００４】
【特許文献１】特開２０１７−１３０２７７号公報
【発明の概要】
【発明が解決しようとする課題】
【０００５】
しかしながら、特許文献１の技術では、カバー部材と駆動部材との間に隙間を有するため、カバー部材を押圧したときに、カバー部材の押圧力が駆動部材に伝わり難く、よりダイレクトな操作感を得ることが比較的困難である。
【課題を解決するための手段】
【０００６】
一実施形態のスイッチ装置は、開口部を有するケースと、開口部内に配置されたレバー部材と、レバー部材がケースに対して回動可能となるように、レバー部材とケースとを一体に連結する弾性変形可能な連結部と、ケースの内部に設けられ、レバー部材によって押圧されるスイッチと、開口部を覆うカバー部材とを備え、連結部は、凹状部を有しており、カバー部材は、二色成形によって弾性素材が用いられてケース、連結部及びレバー部材と一体成形され、二色成形によって、レバー部材の表面に密着して成形された操作部と、二色成形によって、凹状部の内部に弾性素材が充填されることによって凹状部の内部に密着して成形された凸状部とを有する。
【発明の効果】
【０００７】
一実施形態によれば、カバー部材の押圧操作に対し、よりダイレクトな操作感を与えることが可能なスイッチ装置を提供することができる。
【図面の簡単な説明】
【０００８】
【図１】一実施形態に係るスイッチ装置の外観斜視図である。
【図２】一実施形態に係るスイッチ装置の分解斜視図である。
【図３】一実施形態に係るスイッチ装置が備える上側ケースの上面側の構成を示す外観斜視図である。
【図４】図３に示す上側ケースのＡ−Ａ断面図である。
【図５】一実施形態に係るスイッチ装置が備える上側ケースの底面側の構成を示す外観斜視図である。
【図６】カバー部材が一体成形された状態の上側ケースを示す外観斜視図である。
【図７】図６に示す上側ケースのＢ−Ｂ断面図である。
【図８】上側ケースに一体成形されるカバー部材の底面側の構成を示す外観斜視図である。
【図９】一実施形態に係るスイッチ装置の動作を説明するための断面図である。
【図１０】一実施形態に係るスイッチ装置の動作を説明するための断面図である。
【発明を実施するための形態】
【０００９】
以下、図面を参照して、一実施形態について説明する。なお、以降の説明では、便宜上、図中Ｚ軸正方向を上方とし、図中Ｚ軸負方向を下方とする。
【００１０】
（スイッチ装置１００の概要）
図１は、一実施形態に係るスイッチ装置１００の外観斜視図である。図１に示すスイッチ装置１００は、車両のトランクやバックドア等のロックを電気的に解除するためのスイッチとして、トランクやバックドア等に組み込まれる装置である。図１に示すように、スイッチ装置１００は、概ね、薄型の直方体形状を有している。すなわち、スイッチ装置１００は、上方からの平面視において、概ね、Ｘ軸方向を長手方向とし、且つ、Ｙ軸方向を短手方向とする、横長の長方形状を有している。
【００１１】
スイッチ装置１００は、当該スイッチ装置１００の外形状をなすケース１００Ａを備える。ケース１００Ａは、上側ケース１１０と下側ケース１２０（図２参照）とが組み合わされて構成されている。
【００１２】
ケース１００Ａ（上側ケース１１０）の上面には、カバー部材１３０が設けられている。カバー部材１３０は、弾性素材（例えば、エラストマ）が用いられて成形される、概ね薄板状の部材である。カバー部材１３０は、上側ケース１１０の上面に成形された開口部１１０Ａ（図２参照）を閉塞する。これにより、カバー部材１３０は、開口部１１０Ａからのケース１００Ａの内部への浸水を抑制する。
【００１３】
カバー部材１３０は、いわゆる二色成形により、上側ケース１１０と異なる素材が用いられ、且つ、上側ケース１１０と一体的に成形される。カバー部材１３０は、操作部１３２を有する。操作部１３２は、上側ケース１１０の開口部１１０Ａ内に設けられたレバー部材１１２（図２参照）の外表面を覆う立体形状を有しており、且つ、上記二色成形により、レバー部材１１２の上面に密着して成形される。操作部１３２は、上方から押圧操作がなされることによって、操作部１３２の縁部（図中Ｙ軸正側の縁部）にそって成形された溝部１３６が弾性変形しつつ、レバー部材１１２を下方へ回動させることができる。
【００１４】
スイッチ装置１００は、操作部１３２を上方から押圧して、レバー部材１１２を下方に回動させることにより、ケース１００Ａの内部に設けられたスイッチ１４４をレバー部材１１２によって押圧して、スイッチ１４４をオン状態に切り替えることができる。
【００１５】
ケース１００Ａ（下側ケース１２０）の底部には、コネクタ１２２が下方に突出して設けられている。コネクタ１２２には、外部装置（図示省略）から引き出された配線部材（図示省略）の先端に設けられた外部コネクタ（図示省略）が嵌め込まれる。これにより、スイッチ装置１００は、スイッチ１４４を外部装置に電気的に接続することができ、スイッチ１４４によって、外部装置をオン状態とオフ状態との間で切り替えることができる。
【００１６】
なお、スイッチ装置１００は、ユーザによる操作部１３２の押圧操作から解放されると、操作部１３２およびレバー部材１１２の弾性復帰力により、自動的に元の状態に復帰する。これにより、スイッチ装置１００は、自動的にオフ状態となる。
【００１７】
（スイッチ装置１００の構成）
図２は、一実施形態に係るスイッチ装置１００の分解斜視図である。図２に示すように、スイッチ装置１００は、図中上方から順に、カバー部材１３０、上側ケース１１０、回路部１４０、および下側ケース１２０を備えて構成されている。
【００１８】
上側ケース１１０は、下側ケース１２０の上部開口を閉塞するように、下側ケース１２０と組み合わされることにより、下側ケース１２０とともにケース１００Ａを構成する蓋状の部材である。上側ケース１１０は、比較的硬質な素材（例えば、硬質樹脂）が用いられて成形される。上側ケース１１０の上面には、上方からの平面視において概ね長方形状（Ｘ軸方向を長手方向とする横長の長方形状）をなす開口部１１０Ａが成形されている。開口部１１０Ａの内部には、上方からの平面視において概ね長方形状（Ｘ軸方向を長手方向とする横長の長方形状）をなすレバー部材１１２が設けられている。レバー部材１１２は、スイッチ装置１００をオン状態とオフ状態との間で切り替えるための、概ね薄板状の部材である。レバー部材１１２は、その一方（図中Ｙ軸負側）の長辺部分の両端部に設けられた一対のヒンジ１１４（「連結部」の一例）によって、開口部１１０Ａの内周縁部に一体に連結されており、当該一対のヒンジ１１４を回動軸として上下方向に回動可能である。上側ケース１１０には、開口部１１０Ａの外周縁部に沿って、凹部１１０Ｂが成形されている。上側ケース１１０の上面には、二色成形により、開口部１１０Ａを閉塞するカバー部材１３０が成形される。凹部１１０Ｂには、カバー部材１３０のフランジ部１３４が成形される。
【００１９】
下側ケース１２０は、概ね直方体形状を有する、上部が開口した容器状の部材である。下側ケース１２０は、下側ケース１２０の上部開口を閉塞するように、上側ケース１１０が組み合わされることにより、上側ケース１１０とともにケース１００Ａを構成する。下側ケース１２０の内部には、回路部１４０が組み込まれる。下側ケース１２０の上縁部には、当該上縁部に沿った形状を有するシール部材１２４が設けられている。シール部材１２４には弾性素材（例えばゴム、または弾性接着剤等）が用いられ、下側ケース１２０の上縁部と上側ケース１１０との隙間で挟持されることにより、当該隙間からのケース１００Ａの内部への浸水を防止することができる。
【００２０】
回路部１４０は、回路基板１４２、スイッチ１４４、接続端子１４６、および接続端子１４８を備えている。回路基板１４２は、比較的硬質な平板状の部材である。回路基板１４２としては、例えば、ＰＷＢ（Printed Wiring Board）が用いられる。回路基板１４２の上面には、スイッチ１４４が実装される。スイッチ１４４は、はんだ付け等により回路基板１４２に形成される配線パターンを介して、接続端子１４６，１４８の各々と接続される。接続端子１４６，１４８は、スイッチ１４４を外部に接続するための金属製の部材である。接続端子１４６，１４８は、一端側が、配線パターンを介してスイッチ１４４に接続され、他端側が、コネクタ１２２の内部において外部コネクタに接続される。スイッチ１４４は、レバー部材１１２の下側に配置され、レバー部材１１２が下方へ回動したときに、レバー部材１１２に設けられた押圧部１１２Ａ（図５参照）によって押圧される。スイッチ１４４は、押圧部１１２Ａによって押圧されると、オン状態に切り替わり、接続端子１４６側の電気経路と、接続端子１４８側の電気経路との接続状態を、導通状態にすることができる。一方、スイッチ１４４は、押圧部１１２Ａによって押圧されていないとき、オフ状態になり、接続端子１４６側の電気経路と、接続端子１４８側の電気経路との接続状態を、非導通状態にする。
【００２１】
（上側ケース１１０の構成）
図３は、一実施形態に係るスイッチ装置１００が備える上側ケース１１０の上面側の構成を示す外観斜視図である。図４は、図３に示す上側ケース１１０のＡ−Ａ断面図である。図５は、一実施形態に係るスイッチ装置１００が備える上側ケース１１０の底面側の構成を示す外観斜視図である。
【００２２】
図３に示すように、上側ケース１１０の上面には開口部１１０Ａが形成されており、当該開口部１１０Ａの内部には、レバー部材１１２が設けられている。レバー部材１１２は、その一方（図中Ｙ軸負側）の長辺部分の両端部に設けられた一対のヒンジ１１４によって、開口部１１０Ａの内周縁部に連結されており、当該一対のヒンジ１１４を回動軸として、上下方向に回動可能である。これにより、レバー部材１１２は、上方から押圧されたとき、一対のヒンジ１１４が弾性変形することにより、下方に回動して、スイッチ１４４を押圧することができる。一対のヒンジ１１４の各々は、上方からの平面視において、一定の横幅（図中Ｘ軸方向の幅）を有しており、側方からの平面視において、上方が開口したＵ字状（「凹状部」の一例）をなしている。
【００２３】
（カバー部材１３０が一体成形された状態の上側ケース１１０）
図６は、カバー部材１３０が一体成形された状態の上側ケース１１０を示す外観斜視図である。図７は、図６に示す上側ケース１１０のＢ−Ｂ断面図である。図８は、上側ケース１１０に一体成形されるカバー部材１３０の底面側の構成を示す外観斜視図である。
【００２４】
図６および図７に示すように、カバー部材１３０は、上側ケース１１０の開口部１１０Ａを閉塞するように、二色成形により、上側ケース１１０の上面に一体成形される。これにより、上側ケース１１０の上面には、凹部１１０Ｂの上面およびレバー部材１１２の上面に対して隙間なく密着した状態のカバー部材１３０が成形される。
【００２５】
このとき、レバー部材１１２の上面と、カバー部材１３０を成形する金型（図示省略）との間に、カバー部材１３０に用いられる弾性素材が充填される。これにより、図７および図８に示すように、カバー部材１３０には、レバー部材１１２の上面に密着した状態の操作部１３２が成形されることとなる。
【００２６】
また、このとき、上方が開口したＵ字状（「凹状部」の一例）の一対のヒンジ１１４の各々の内部に、カバー部材１３０に用いられる弾性素材が充填される。これにより、図７および図８に示すように、カバー部材１３０の底面側において、操作部１３２の一方（図中Ｙ軸負側）の長辺部分の両端には、一対のヒンジ１１４の内部に嵌め込まれて密着した状態の、一対の凸状部１３８が成形されることとなる。
【００２７】
また、このとき、上側ケース１１０の上面（開口部１１０Ａの周囲）に成形された凹部１１０Ｂと、カバー部材１３０を成形する金型（図示省略）との間にも、カバー部材１３０に用いられる弾性素材が充填される。これにより、図６〜図８に示すように、カバー部材１３０における操作部１３２の外周には、凹部１１０Ｂに嵌め込まれて密着した状態のフランジ部１３４が成形されることとなる。
【００２８】
（スイッチ装置１００の動作）
図９および図１０は、一実施形態に係るスイッチ装置１００の動作を説明するための断面図である。図９は、スイッチ装置１００のオフ状態を表しており、図１０は、スイッチ装置１００のオン状態を表している。
【００２９】
図９および図１０に示すように、レバー部材１１２の底面における中央部には、下方に突出した円柱状の押圧部１１２Ａが設けられている。押圧部１１２Ａは、スイッチ１４４と対向する位置に設けられている。
【００３０】
図９に示すように、カバー部材１３０の操作部１３２が下方へ押圧されていないとき、操作部１３２およびレバー部材１１２は、上側ケース１１０の上面から上方に浮き上がった状態となっている。これにより、スイッチ１４４は、押圧部１１２Ａによって押圧されず、よって、オフ状態となる。
【００３１】
一方、図１０に示すように、カバー部材１３０の操作部１３２が下方へ押圧されることにより、レバー部材１１２は、一対のヒンジ１１４が連結されている一端側（図中Ｙ軸負側）の部分を回動軸として、下方へ回動し、他端側（図中Ｙ軸正側）の部分が下方に押し下げられる。これにより、スイッチ１４４は、押圧部１１２Ａによって押圧され、よって、オン状態となる。
【００３２】
このように、本実施形態のスイッチ装置１００は、上側ケース１１０とカバー部材１３０とを二色成形によって一体成形したことにより、図９および図１０に示すように、操作部１３２をレバー部材１１２の上面に確実に密着させることができ、すなわち、レバー部材１１２の上面からの操作部１３２の浮き上がりを抑制することができる。このため、本実施形態のスイッチ装置１００によれば、操作部１３２によるダイレクトな操作感を得ることができ、且つ、操作部１３２の押圧位置による操作感の変化を抑制することができる。
【００３３】
また、本実施形態のスイッチ装置１００は、上側ケース１１０とカバー部材１３０とを二色成形によって一体成形したことにより、図９および図１０に示すように、ヒンジ１１４の内部に凸状部１３８を成形して、ヒンジ１１４の内部に凸状部１３８を密着させることができるため、レバー部材１１２の上面からのカバー部材１３０の浮き上がりを抑制することができる。このため、本実施形態のスイッチ装置１００によれば、操作部１３２によるダイレクトな操作感を得ることができ、且つ、操作部１３２の押圧位置による操作感の変化を抑制することができる。
【００３４】
また、本実施形態のスイッチ装置１００は、Ｕ字状のヒンジ１１４の内部に弾性素材が充填されて凸状部１３８が成形されるため、ヒンジ１１４の上部を押圧されたときにヒンジ１１４に負荷される押圧力を緩和して破損を抑制することができる。また、ヒンジ１１４の捻れ剛性を高めることができるため、例えば、レバー部材１１２のＸ軸方向の端部が押圧された場合であっても、ヒンジ１１４の捻れに伴うレバー部材１１２の傾きを抑制し、よって、レバー部材１１２に対する押圧力を効率的にスイッチ１４４に伝達することができる。したがって、本実施形態のスイッチ装置１００によれば、カバー部材１３０の押圧操作に対し、よりダイレクトな操作感を与えることができる。
【００３５】
また、本実施形態のスイッチ装置１００は、レバー部材１１２の一方（図中Ｙ軸負側）の長辺部分の両端に一対のヒンジ１１４を設けたことにより、例えば、レバー部材１１２の他方（図中Ｙ軸正側）の長辺部分の端部（すなわち、ヒンジ１１４から離れた角部）が押圧された際に、その対角線上にある角部（すなわち、ヒンジ１１４に近い角部）が持ち上がってレバー部材１１２が傾いてしまうことを抑制することができる。このため、本実施形態のスイッチ装置１００によれば、操作部１３２によるダイレクトな操作感を得ることができ、且つ、操作部１３２の押圧位置による操作感の変化を緩和することができる。
【００３６】
また、本実施形態のスイッチ装置１００は、レバー部材１１２の裏面に形成された押圧部１１２Ａによって、スイッチ１４４を押圧する構成を採用したことにより、レバー部材１１２における押圧位置に依らず、同様の操作感を得ることができる。すなわち、本実施形態のスイッチ装置１００は、レバー部材１１２の上面の中央部を押圧した場合であっても、レバー部材１１２の上面の端部を押圧した場合であっても、同様の操作感を得ることができる。本実施形態のスイッチ装置１００は、例えば、スイッチ１４４にクリック操作感を付与することが可能なタクトスイッチを用いた場合、レバー部材１１２における押圧位置に依らず、同様のクリック操作感を得ることができる。
【００３７】
また、本実施形態のスイッチ装置１００は、図５、図９、および図１０に示すように、レバー部材１１２の裏面に、柱状の規制部１１２Ｂが設けられている。これにより、本実施形態のスイッチ装置１００は、規制部１１２Ｂが回路基板１４２または下側ケース１２０の表面に当接することにより、レバー部材１１２の下方への回動量を規制し、よって、スイッチ１４４の過度な押圧によるスイッチ１４４の破損等を抑制することができる。
【００３８】
また、一実施形態に係るスイッチ装置１００において、カバー部材１３０は、凸状部１３８を有する側の第１の縁部とは反対側の第２の縁部に、当該第２の縁部に沿って成形された弾性変形可能な溝部１３６を有する。これにより、レバー部材１１２のＹ軸正側の長辺部分が押圧され、レバー部材１１２と共にカバー部材１３０が押圧位置において大きく移動する場合に、カバー部材１３０はその移動に柔軟に対応することができ、カバー部材１３０の押圧位置近傍において過度に応力が付与されることを抑制することができる。したがって、本実施形態のスイッチ装置１００によれば、操作部１３２によるダイレクトな操作感を得ることができ、且つ、操作部１３２の押圧位置による操作感の変化を抑制することができる。
【００３９】
以上、本発明の一実施形態について詳述したが、本発明はこれらの実施形態に限定されるものではなく、特許請求の範囲に記載された本発明の要旨の範囲内において、種々の変形又は変更が可能である。
【００４０】
例えば、上記実施形態では、レバー部材１１２を上側ケース１１０に連結する２つのヒンジ１１４を設けているが、これに限らず、１つまたは３つ以上のヒンジ１１４を設けるようにしてもよい。また、例えば、上記実施形態では、ヒンジ１１４が全体的にＵ字状をなしているが、これに限らず、ヒンジ１１４の一部分に凹状部を設けるようにしてもよい。
【符号の説明】
【００４１】
１００  スイッチ装置
１００Ａ  ケース
１１０  上側ケース
１１０Ａ  開口部
１１０Ｂ  凹部
１１２  レバー部材
１１２Ａ  押圧部
１１２Ｂ  規制部
１１４  ヒンジ（連結部，凹状部）
１２０  下側ケース
１３０  カバー部材
１３２  操作部
１３４  フランジ部
１３６  溝部
１３８  凸状部
１４０  回路部
１４２  回路基板
１４４  スイッチ
１４６，１４８  接続端子
【図１】
2020102428.tif 000003
【図２】
2020102428.tif 000004
【図３】
2020102428.tif 000005
【図４】
2020102428.tif 000006
【図５】
2020102428.tif 000007
【図６】
2020102428.tif 000008
【図７】
2020102428.tif 000009
【図８】
2020102428.tif 000010
【図９】
2020102428.tif 000011
【図１０】
2020102428.tif 000012